【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
超音波システムであって、
カラーＭモード映像形成のために第１の超音波データを提供するための第１の動作および輝度Ｍモード映像形成のために第２の超音波データを提供するための第２の動作を行う超音波データ取得部と、
前記超音波データ取得部から提供される前記第１の超音波データおよび前記第２の超音波データをそれぞれ蓄積するために、前記超音波データ取得部が予め定められたスイープ周期（ｓｗｅｅｐ  ｐｅｒｉｏｄ）で、かつ、選択的なパターンで前記第１の動作を平均化回数行い、前記第２の動作を１回または複数回行うように制御する制御部と、
前記蓄積された第１の超音波データに基づいて前記カラーＭモード映像を形成し、前記蓄積された第２の超音波データに基づいて前記輝度Ｍモード映像を形成するイメージプロセッサと
を備えることを特徴とする超音波システム。
【請求項２】
前記超音波データ取得部が前記第１の動作を１回行うのに予想される時間と、前記第２の動作を１回行うのに予想される時間との合計時間が、前記スイープ周期を前記平均化回数で除した時間未満であれば、前記選択的なパターンは、前記第１の動作および前記第２の動作を交互に行うようにするパターンであることを特徴とする請求項１に記載の超音波システム。
【請求項３】
前記イメージプロセッサは、前記スイープ周期の間に前記超音波データ取得部によって提供された複数の第２の超音波データのうち、最後に提供された前記第２の超音波データに基づいて前記輝度Ｍモード映像を形成することを特徴とする請求項１または２に記載の超音波システム。
【請求項４】
前記イメージプロセッサは、前記スイープ周期の間に前記超音波データ取得部によって提供された前記第２の超音波データに基づいて前記輝度Ｍモード映像を形成するように動作することを特徴とする請求項１ないし３のいずれかに記載の超音波システム。
【請求項５】
前記超音波データ取得部が前記第１の動作を１回行うのに予想される時間と、前記第２の動作を１回行うのに予想される時間との合計時間が、前記スイープ周期を前記平均化回数で除した時間に等しいかそれ以上であれば、前記選択的なパターンは、前記第１の動作を前記平均化回数行い、その次に前記第２の動作を１回行うパターンであることを特徴とする請求項１に記載の超音波システム。
【請求項６】
前記イメージプロセッサは、前記スイープ周期の間に前記超音波データ取得部によって提供された前記第１の超音波データに基づいて前記カラーＭモード映像を形成し、前記スイープ周期の間に前記超音波データ取得部によって提供された前記第２の超音波データに基づいて前記輝度Ｍモード映像を形成するように動作することを特徴とする請求項１または５に記載の超音波システム。
【請求項７】
前記イメージプロセッサは、前記スイープ周期の間に前記超音波データ取得部によって提供された前記第１の超音波データを補間して第３の超音波データを取得し、前記第１の超音波データおよび前記第３の超音波データに基づいて前記カラーＭモード映像を形成するように動作することを特徴とする請求項５または６に記載の超音波システム。
【請求項８】
前記平均化回数は、プログラム可能であることを特徴とする請求項１ないし７のいずれかに記載の超音波システム。
【請求項９】
前記超音波データ取得部から提供される前記第１の超音波データおよび前記第２の超音波データを蓄積する格納部をさらに備え、
前記第１の超音波データおよび前記第２の超音波データは、前記制御部の制御によって前記格納部に蓄積されることを特徴とする請求項１ないし８のいずれかに記載の超音波システム。
【請求項１０】
カラーＭモード映像および輝度Ｍモード映像を提供する方法であって、
ａ）超音波データ取得部で、前記カラーＭモード映像に関係する第１の超音波データを提供するための第１の動作と、前記輝度Ｍモード映像に関係する第２の超音波データを提供する第２の動作とをそれぞれ１回ずつ行うのに予想される時間を算出する段階と、
ｂ）前記算出された時間、スイープ周期および平均化回数に基づいて前記第１および第２の動作を行う順序を決定するための取得パターンを決定する段階と、
ｃ）前記超音波データ取得部で、前記スイープ周期の間に前記取得パターンに従って第1の動作を前記平均化回数行い、前記第２の動作を1回または複数回行う段階と、
ｄ）前記第１の超音波データに基づいて前記カラーＭモード映像を形成する段階と、
ｅ）前記第２の超音波データに基づいて前記輝度Ｍモード映像を形成する段階と
を備えることを特徴とするカラーＭモード映像および輝度Ｍモード映像を提供する方法。
【請求項１１】
各前記算出された時間の合計時間が、前記スイープ周期を前記平均化回数で除した時間未満であれば、前記取得パターンは、前記第１の動作および前記第２の動作を交互に行うパターンであることを特徴とする請求項１０に記載のカラーＭモード映像および輝度Ｍモード映像を提供する方法。
【請求項１２】
前記輝度Ｍモード映像を形成する段階ｅ）は、
前記スイープ周期の間に前記超音波データ取得部によって提供された複数の第２の超音波データのうち、最後に提供された前記第２の超音波データに基づいて前記輝度Ｍモード映像を形成する段階
をさらに備えることを特徴とする請求項１０または１１に記載のカラーＭモード映像および輝度Ｍモード映像を提供する方法。
【請求項１３】
前記輝度Ｍモード映像を形成する段階ｅ）は、
前記スイープ周期の間に前記超音波データ取得部によって提供された前記第２の超音波データに基づいて前記輝度Ｍモード映像を形成する段階
をさらに備えることを特徴とする請求項１０ないし１２のいずれかに記載のカラーＭモード映像および輝度Ｍモード映像を提供する方法。
【請求項１４】
各前記算出された時間の合計時間が、前記スイープ周期を前記平均化回数で除した時間に等しいかそれ以上であれば、前記取得パターンは、前記第１の動作を前記平均化回数行い、その次に前記第２の動作を１回行うパターンであることを特徴とする請求項１０に記載のカラーＭモード映像および輝度Ｍモード映像を提供する方法。
【請求項１５】
前記カラーＭモード映像を形成する段階ｄ）は、
前記スイープ周期の間に前記超音波データ取得部によって提供された前記第１の超音波データに基づいて前記カラーＭモード映像を形成する段階をさらに備え、
前記輝度Ｍモード映像を形成する段階ｅ）は、
前記スイープ周期の間に前記超音波データ取得部により提供された前記第２の超音波データに基づいて前記輝度Ｍモード映像を形成する段階
をさらに備えることを特徴とする請求項１０または１４に記載のカラーＭモード映像および輝度Ｍモード映像を提供する方法。
【請求項１６】
前記カラーＭモード映像を形成する段階ｄ）は、
前記スイープ周期の間に前記超音波データ取得部によって提供された前記第１の超音波データを補間して第３の超音波データを取得する段階と、
前記第１の超音波データおよび前記第３の超音波データに基づいて前記カラーＭモード映像を形成する段階と
をさらに備えることを特徴とする請求項１４または１５に記載のカラーＭモード映像および輝度Ｍモード映像を提供する方法。
【請求項１７】
前記平均化回数は、プログラム可能であることを特徴とする請求項１０ないし１６のいずれかに記載のカラーＭモード映像および輝度Ｍモード映像を提供する方法。